(57)【要約】【課題】例えば、より不都合が少なく改善された新規な構成の接続部材を得る。【解決手段】実施形態の接続部材は、例えば、ボディと、一対の接続端子と、導電部と、を有する。ボディは、電池モジュールの第一の筐体内であって、電池セルが収容される第一の収容部とは第一の方向に仕切られた第二の収容部に収容可能に構成される。一対の接続端子は、ボディの第一の方向と交差した第二の方向の一方を向いた第一の面に設けられ、導電部材を介して電池セルの電極部と電気的に接続可能である。導電部は、一対の接続端子の間に渡る。【選択図】図２
2019061866.tif 000002
【特許請求の範囲】
【請求項１】
電池モジュールの第一の筐体内であって、電池セルが収容される第一の収容部とは第一の方向に仕切られた第二の収容部に収容可能に構成されたボディと、
前記ボディの前記第一の方向と交差した第二の方向の一方を向いた第一の面に設けられ、導電部材を介して前記電池セルの電極部と電気的に接続可能な一対の接続端子と、
前記一対の接続端子の間に渡った導電部と、
を有した、接続部材。
【請求項２】
前記ボディは、
前記第二の方向の一方に開放される開口部が設けられた第一のケースと、
前記開口部を覆い、前記一対の接続端子が設けられた第一の蓋と、
を有した、請求項１に記載の接続部材。
【請求項３】
前記一対の接続端子は、前記第一の蓋を貫通した状態に設けられ、
前記導電部は、前記第一の蓋の内側で前記一対の接続端子の間に渡り、
前記第一の蓋と前記一対の接続端子との間、および前記第一の蓋と前記導電部との間には、それぞれ絶縁部材が設けられた、請求項２に記載の接続部材。
【請求項４】
前記第一の蓋は、前記電池セルの前記電極部が設けられる第二の蓋と同一形状を有した、請求項２または３に記載の接続部材。
【発明の詳細な説明】
【技術分野】
【０００１】
本発明の実施形態は、接続部材に関する。
【背景技術】
【０００２】
従来、電池モジュールの収容部に電池セルとともに収容されたボディと、ボディの上面および下面に設けられた一対の接続端子と、一対の接続端子の間に渡った導電部と、を有した接続部材としてのダミー電池が、知られている。
【先行技術文献】
【特許文献】
【０００３】
【特許文献１】特開平１０−２９１７２号公報
【発明の概要】
【発明が解決しようとする課題】
【０００４】
この種の接続部材では、例えば、より不都合が少なく改善された新規な構成が得られれば、好ましい。
【課題を解決するための手段】
【０００５】
実施形態の接続部材は、例えば、ボディと、一対の接続端子と、導電部と、を有する。ボディは、電池モジュールの第一の筐体内であって、電池セルが収容される第一の収容部とは第一の方向に仕切られた第二の収容部に収容可能に構成される。一対の接続端子は、ボディの第一の方向と交差した第二の方向の一方を向いた第一の面に設けられ、導電部材を介して電池セルの電極部と電気的に接続可能である。導電部は、一対の接続端子の間に渡る。
【図面の簡単な説明】
【０００６】
【図１】図１は、一実施形態の接続部材を備えた電池モジュールの例示的かつ模式的な斜視図である。
【図２】図２は、一実施形態の接続部材を備えた電池モジュールの例示的かつ模式的な分解斜視図である。
【図３】図３は、図２の細部の分解斜視図である。
【図４】図４は、一実施形態の接続部材の例示的かつ模式的な斜視図である。
【図５】図５は、図４のV−V断面図である。
【発明を実施するための形態】
【０００７】
以下、本発明の例示的な実施形態が開示される。以下に示される実施形態の構成、ならびに当該構成によってもたらされる作用および効果は、一例である。なお、本明細書では、序数は、部品や部材を区別するためだけに用いられており、順番や優先度を示すものではない。
【０００８】
また、以下の各図では、便宜上、互いに直交する三方向が定義されている。Ｘ方向は、筐体１１の幅方向（短手方向）に沿うとともに、電池セル１２および接続部材１８の厚さ方向に沿う。Ｙ方向は、筐体１１の長手方向に沿うとともに、電池セル１２および接続部材１８の幅方向に沿う。Ｚ方向は、筐体１１の高さ方向に沿うとともに、電池セル１２および接続部材１８の高さ方向に沿う。Ｘ方向は、第一の方向の一例であり、Ｙ方向は、第三の方向の一例であり、Ｚ方向は、第二の方向の一例である。
【０００９】
図１は、電池モジュール１の斜視図であり、図２は、電池モジュール１の分解斜視図であり、図３は、図２の細部の分解斜視図である。図１〜３に示されるように、電池モジュール１は、例えば、筐体１１と、複数の電池セル１２と、バスバー１３，１４と、コネクタ１５，１６と、回路基板１７と、接続部材１８と、を備えている。筐体１１は、第一の筐体の一例であり、バスバー１３，１４は、導電部材の一例である。
【００１０】
電池セル１２、バスバー１３，１４、コネクタ１５，１６、回路基板１７、および接続部材１８は、筐体１１に収容されている。複数の電池セル１２は、複数のバスバー１３および複数の接続部材１８を介して、互いに電気的に接続される。複数の電池セル１２の電力、すなわち電池モジュール１の電力は、バスバー１４およびコネクタ１５を介して、外部コネクタ１００に出力可能となっている。一対のコネクタ１５のうち一方は、正極コネクタであり、他方は、負極コネクタである。
【００１１】
電池モジュール１は、種々の装置や、機械、設備等に設置され、それら種々の装置や、機械、設備の電源として使用される。例えば、電池モジュール１は、自動車や自転車（移動体）等の電源等、移動型の電源としても使用される他、例えば、ＰＯＳ（Point  Of  Sales）システム用の電源等、定置型の電源としても使用されうる。また、種々の装置等には、複数の、本実施形態で示される電池モジュール１を、直列あるいは並列に接続したセットとして搭載することもできる。なお、電池モジュール１に含まれる電池セル１２や接続部材１８の数や配置等は、本実施形態で開示されるものには限定されない。電池モジュール１は、組電池や、電池装置等とも称され、電池セル１２は、単電池や電池等とも称される。
【００１２】
電池セル１２は、例えば、リチウムイオン二次電池として構成されている。なお、電池セル１２は、ニッケル水素電池や、ニッケルカドミウム電池、鉛蓄電池等、他の二次電池（蓄電池、充電式電池）であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００１３】
図２に示されるように、電池セル１２は、例えば、筐体２０と、電極部としての正極端子２２および負極端子２３と、を有している。筐体２０は、Ｘ方向に薄い偏平な直方体状に構成されている。正極端子２２および負極端子２３は、筐体２０の上面２０ａに設けられている。上面２０ａは、端子面や、天面、外面、露出面等とも称されうる。筐体２０は、第二の筐体の一例である。
【００１４】
また、筐体２０は、例えば、ケース２０Ａと、蓋２０Ｂと、を有する。ケース２０Ａは、一端側（上端側）が開放された直方体状の箱型に構成されている。蓋２０Ｂは、長方形状の板状に構成され、ケース２０Ａの開放された部分を塞いでいる。ケース２０Ａと蓋２０Ｂとは、例えば、溶接等によって互いに結合され、結合された部分から液体や気体等が漏れるのが抑制されている。電池セル１２は、例えば、アルミニウム等の金属材料によって構成されている。電池セル１２は、所謂角型缶タイプのものであり、缶セル等とも称されうる。ケース２０Ａは、第二のケースの一例であり、蓋２０Ｂは、第二の蓋の一例である。
【００１５】
また、筐体２０の内部には、例えば、電極体や、電解液等が収容されている。電極体は、例えば、正極シートと、負極シートと、絶縁層（セパレータ）と、を有する。電極体は、正極シート、負極シート、および絶縁層が巻回されて、扁平形状に構成されうる。電極体は、電極群であって発電要素として機能する。
【００１６】
正極端子２２および負極端子２３は、蓋２０ＢをＺ方向に貫通した状態に設けられている。正極端子２２と負極端子２３とは、蓋２０Ｂの長手方向、すなわちＹ方向に互いに間隔をあけて位置されている。正極端子２２は、筐体２０内で電極体の正極シートと電気的に接続され、負極端子２３は、筐体２０内で電極体の負極シートと電気的に接続されている。
【００１７】
また、蓋２０Ｂの正極端子２２と負極端子２３との間には、弁部２４が設けられている。弁部２４は、筐体２０内の圧力が閾値よりも高くなった場合に開放され、当該筐体２０内の圧力を低下させる。
【００１８】
複数の電池セル１２は、筐体１１内において、例えば、三列に並べられている。具体的には、筐体１１には、六つの電池セル１２と二つの接続部材１８とがＸ方向に並んだ列が、Ｙ方向に三列設けられている。複数の電池セル１２および複数の接続部材１８は、それぞれの上面２０ａ，３０ａ（端子面）が同じ方向（上方）を向き、かつそれぞれの上面２０ａ，３０ａの長手方向が同じ方向（Ｙ方向）に沿うように配置されている。複数の電池セル１２および複数の接続部材１８は、図３に示される複数のバスバー１３，１４によって直列や並列に電気的に接続される。
【００１９】
図１〜３に示されるように、筐体１１は、Ｙ方向に長い直方体状に構成されている。筐体１１は、例えば、底壁部１１ａや、端壁部１１ｂ，１１ｃ、側壁部１１ｄ，１１ｅ、天壁部１１ｆ、中間壁部１１ｇ（図３参照）、仕切壁部１１ｈ（図２，３参照）等の複数の壁部を有している。
【００２０】
底壁部１１ａは、Ｚ方向と直交する方向（ＸＹ平面）に沿って延びるとともに、Ｙ方向に長い長方形状の板状に構成されている。底壁部１１ａは、複数の電池セル１２の下面、および複数の接続部材１８の下面３０ｂ（図４参照）と面する。
【００２１】
端壁部１１ｂ，１１ｃは、いずれも、Ｙ方向と直交する方向（ＸＺ平面）に沿って延びており、Ｙ方向に間隔をあけて互いに平行に設けられている。端壁部１１ｂ，１１ｃは、底壁部１１ａの長手方向、すなわちＹ方向の両端部と接続されている。
【００２２】
側壁部１１ｄ，１１ｅは、いずれも、Ｘ方向と直交する方向（ＹＺ平面）に沿って延びており、Ｘ方向に間隔をあけて互いに平行に設けられている。側壁部１１ｄ，１１ｅは、底壁部１１ａの短手方向、すなわちＸ方向の両端部と接続されている。また、側壁部１１ｄ，１１ｅは、端壁部１１ｂ，１１ｃのそれぞれと接続されている。
【００２３】
天壁部１１ｆは、底壁部１１ａに沿って延びた長方形状の板状に構成されている。天壁部１１ｆは、端壁部１１ｂ，１１ｃおよび側壁部１１ｄ，１１ｅの、底壁部１１ａとは反対側の端部と接続されている。
【００２４】
中間壁部１１ｇ（図３参照）は、天壁部１１ｆと同様に、底壁部１１ａに沿って延びた長方形状の板状に構成されている。中間壁部１１ｇは、底壁部１１ａと天壁部１１ｆとの間に位置され、底壁部１１ａおよび天壁部１１ｆのそれぞれとＺ方向に間隔をあけて設けられている。中間壁部１１ｇは、端壁部１１ｂ，１１ｃおよび側壁部１１ｄ，１１ｅの内面と接続されている。
【００２５】
仕切壁部１１ｈは、端壁部１１ｂ，１１ｃに沿って延びた長方形状の板状に構成されている。仕切壁部１１ｈは、底壁部１１ａと中間壁部１１ｇとの間に位置され、側壁部１１ｄと側壁部１１ｅとの間に渡っている。仕切壁部１１ｈは、端壁部１１ｂ，１１ｃのそれぞれとＹ方向に間隔をあけて並んでいる。
【００２６】
筐体１１の内部には、底壁部１１ａ、端壁部１１ｂ，１１ｃ、側壁部１１ｄ，１１ｅ、および中間壁部１１ｇによって囲まれた収容室１１ｉが設けられている。収容室１１ｉは、図２，３に示される仕切壁部１１ｈやスペーサ２８等によって、複数の収容部１１ｘ（領域、空間）に区画され、各収容部１１ｘに一つずつ電池セル１２または接続部材１８が収容されている。すなわち、収容部１１ｘには、電池セル１２が収容される第一の収容部１１ｘ１と、接続部材１８が収容される第二の収容部１１ｘ２と、が含まれている。本実施形態では、Ｙ方向の各列において、第二の収容部１１ｘ２は、Ｘ方向の中央部側に二つずつ設けられている。
【００２７】
筐体１１は、例えば、変性ＰＰＥ（ポリフェニレンエーテル）や、ＰＦＡ（パーフルオロアルコキシアルカン、テトラフルオロエチレン・パーフルオロアルキルビニルエーテル共重合体）等の絶縁性を有した合成樹脂材料で構成されている。また、筐体１１の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦ等の非結晶性樹脂およびそれらのアロイ樹脂を、用いることができる。
【００２８】
また、筐体１１は、複数の部品（分割体）が組み合わせられて構成されている。具体的には、筐体１１は、例えば、ケース４１と、ミドルカバー４２と、トップカバー４３と、を有している。ミドルカバー４２は、ケース４１の収容室１１ｉを塞ぎ、ケース４１と一体化される。また、トップカバー４３は、ミドルカバー４２におけるバスバー１３，１４や回路基板１７等の収容部分を塞ぎ、ミドルカバー４２と一体化される。
【００２９】
ケース４１は、底壁部１１ａと、端壁部１１ｂ，１１ｃに含まれる端壁部４１ｂ，４１ｃと、側壁部１１ｄ，１１ｅに含まれる側壁部４１ｄ，４１ｅと、仕切壁部１１ｈと、を有している。ケース４１には、底壁部１１ａ、端壁部４１ｂ，４１ｃ、および側壁部４１ｄ，４１ｅによって囲まれ、上方に開放された開口部４１ｆが設けられている。開口部４１ｆは、収容室１１ｉの少なくとも一部を構成している。ケース４１は、収容体や、第一筐体部材等とも称されうる。
【００３０】
ミドルカバー４２は、端壁部１１ｂ，１１ｃに含まれる端壁部４２ｂ，４２ｃと、側壁部１１ｄ，１１ｅに含まれる側壁部４２ｄ，４２ｅと、中間壁部１１ｇと、を有している。ミドルカバー４２は、ケース４１の開口部４１ｆを覆う。中間壁部１１ｇは、端壁部４２ｂ，４２ｃおよび側壁部４２ｄ，４２ｅのそれぞれのＺ方向の中間部と接続されている。ミドルカバー４２は、中間部材や、第二筐体部材等とも称されうる。
【００３１】
トップカバー４３は、少なくとも天壁部１１ｆを有している。トップカバー４３は、ミドルカバー４２の中間壁部１１ｇよりも上方の空間を覆う。トップカバー４３は、蓋や、第三筐体部材等とも称されうる。
【００３２】
図１，２に示されるように、ケース４１とミドルカバー４２とは、引掛部４４によって互いに機械的に結合され、ミドルカバー４２とトップカバー４３とは、引掛部４５によって互いに機械的に結合されている。すなわち、ケース４１とトップカバー４３とは、ミドルカバー４２を介して互いに結合されている。
【００３３】
引掛部４４は、例えば、ケース４１の端壁部４１ｂ，４１ｃおよび側壁部４１ｄ，４１ｅに設けられた複数の開口部４４ａ（図２参照）と、ミドルカバー４２に設けられ、開口部４４ａのそれぞれの縁部と引っ掛かる複数の爪４４ｂと、によって構成されている。また、引掛部４５は、引掛部４４と同様に、例えば、ミドルカバー４２の側壁部４２ｄ，４２ｅに設けられた複数の開口部と、トップカバー４３に設けられ、開口部のそれぞれの縁部と引っ掛かる複数の爪と、によって構成されている。
【００３４】
上記構成の筐体１１においては、前述のとおり、収容室１１ｉの一部を構成するケース４１の開口部４１ｆに、複数の電池セル１２および複数の接続部材１８が収容されている。Ｘ方向に隣り合う電池セル１２同士の間や、接続部材１８同士の間、電池セル１２と接続部材１８との間には、それぞれ絶縁性のスペーサ２８が配置されている。スペーサ２８は、Ｘ方向に隣り合う二つの部材同士を離間させる。スペーサ２８は、例えば、絶縁性の材料によって構成されたプレートやシート等であり、筐体１１に着脱可能に設けられている。スペーサ２８は、仕切壁部（壁部）等とも称されうる。
【００３５】
電池セル１２の正極端子２２および負極端子２３や、接続部材１８の一対の接続端子３２等は、中間壁部１１ｇ（図３参照）に設けられた不図示の貫通孔（開口部）を貫通し、中間壁部１１ｇよりも天壁部１１ｆ側に突出している。
【００３６】
また、中間壁部１１ｇと天壁部１１ｆとの間の空間には、複数のバスバー１３，１４や、コネクタ１５，１６、回路基板１７、板部材１９等が収容されている。バスバー１３，１４は、例えば、溶接等によって電池セル１２の正極端子２２および負極端子２３や、接続部材１８の一対の接続端子３２等に結合される。また、コネクタ１５は、ネジ等の結合具４６によってミドルカバー４２に結合され、回路基板１７は、ネジ等の結合具４６によってトップカバー４３に結合される。
【００３７】
回路基板１７は、例えば、プリント回路板（ＰＣＢ）である。回路基板１７には、配線パターンが設けられるとともに、複数の電子部品が実装されている。回路基板１７は、バスバー１３等に電気的に接続されて、バスバー１３の温度や電池セル１２の電圧等を検出可能である。
【００３８】
また、回路基板１７には、二つのコネクタ１６が実装されている。コネクタ１６は、例えばＬＡＮコネクタ（通信コネクタ）である。コネクタ１６およびコネクタ１５は、ミドルカバー４２の端壁部４２ｂに設けられた開口部から露出している。コネクタ１６は、二つのコネクタ１５の間に配置されている。コネクタ１６には、例えば、ＬＡＮケーブルのコネクタが接続される。当該ＬＡＮケーブルのコネクタを介して、例えば、制御装置が、回路基板１７の検出結果を受信するとともに、電池セル１２の電圧を制御する。
【００３９】
図４は、接続部材１８の斜視図であり、図５は、図４のV−V断面図である。図４，５に示されるように、接続部材１８は、例えば、ボディ３０と、導電部３１と、一対の接続端子３２と、複数の絶縁体５１〜５３と、を有している。一対の接続端子３２は、ボディ３０の上面３０ａに露出して設けられている。導電部３１は、例えば、アルミニウムや銅等で構成された金属プレートであり、ボディ３０の内側で一対の接続端子３２と電気的に接続されている。上面３０ａは、第一の面の一例である。
【００４０】
接続部材１８は、電池セル１２と略同じ形状を有した構造体である。ただし、接続部材１８には発電要素となる電極体等は設けられていない。図２に示されるように、本実施形態では、このような接続部材１８を一部の電池セル１２の換わりに第二の収容部１１ｘ２に収容して電池モジュール１を構成することにより、電圧の異なる複数の仕様の電池モジュール１で、筐体１１やバスバー１３，１４等の部品を共用化できるよう構成されている。よって、本実施形態によれば、例えば、定格電圧に応じて異なる仕様の筐体１１やバスバー１３，１４等の部品が用いられる場合と比べて、電池モジュール１の製造に要する手間や費用が低減されやすい。接続部材１８は、セルバスバーや、ダミー電池等とも称されうる。
【００４１】
ボディ３０は、例えば、Ｘ方向に薄い偏平な直方体状に構成されている。ボディ３０は、第二の収容部１１ｘ２に収容されることで、電池セル１２の筐体２０の換わりの強度メンバとして機能する。ボディ３０は、例えば、アルミニウム等の金属材料によって構成されている。ボディ３０は、筐体や、ベース、容器等とも称されうる。
【００４２】
また、図４に示されるように、ボディ３０は、例えば、ケース３０Ａと、蓋３０Ｂと、を有している。ケース３０Ａは、一端側（上端側）が開放された直方体状の箱型に構成されている。すなわち、ケース３０Ａには、ボディ３０の下面３０ｂや複数の側面３０ｃ〜３０ｆを構成する複数の壁部によって囲まれた開口部３０ｉ（図５参照）が設けられている。
【００４３】
蓋３０Ｂは、Ｙ方向に長い長方形状の板状に構成されている。蓋３０Ｂは、ケース３０Ａの開口部３０ｉを覆った状態で、ケース３０Ａと一体化される。ケース３０Ａと蓋３０Ｂとは、例えば、溶接等によって互いに結合されうる。ケース３０Ａは、第一のケースの一例であり、蓋３０Ｂは、第一の蓋の一例である。
【００４４】
また、図５に示されるように、蓋３０Ｂには、上面３０ａ側（上方）に開放された複数の有底の凹部３０ｕが設けられている。凹部３０ｕは、Ｚ方向、すなわち蓋３０Ｂの厚さ方向の視線では、四角形状に構成されている。本実施形態では、一対の接続端子３２に対応して、二つの凹部３０ｕがＹ方向に互いに間隔をあけて設けられている。
【００４５】
また、凹部３０ｕの底面には、貫通孔３０ｖが設けられている。貫通孔３０ｖは、凹部３０ｕの底面と、蓋３０Ｂの上面３０ａとは反対側の裏面３０ｊとの間に渡って設けられている。貫通孔３０ｖは、Ｚ方向の視線では、円形状に構成されている。貫通孔３０ｖには、接続端子３２のうちの軸部３２ｂが挿入される。
【００４６】
接続端子３２は、例えば、頭部３２ａと、軸部３２ｂと、結合部３２ｃと、を有する。頭部３２ａは、貫通孔３０ｖの上面３０ａ側で軸部３２ｂと接続され、結合部３２ｃは、貫通孔３０ｖの裏面３０ｊ側で軸部３２ｂと接続されている。図４に示されるように、頭部３２ａは、凹部３０ｕの縁部に沿った四角形状に構成されている。頭部３２ａの径方向（ＸＹ平面）に沿った幅は、貫通孔３０ｖの開口幅（直径）よりも大きい。また、軸部３２ｂは、貫通孔３０ｖの内周面に沿った円柱状に構成されている。
【００４７】
結合部３２ｃは、例えば、接続端子３２と導電部３１とがカシメによって互いに結合された場合に、軸部３２ｂの端部から径方向（ＸＹ平面）に沿って張り出した部分である。結合部３２ｃは、導電部３１とＺ方向に重なり、結合部３２ｃと頭部３２ａとの間には、導電部３１と絶縁体５１とが挟まれている。
【００４８】
絶縁体５１は、例えば、筒状部５１ａと、フランジ部５１ｂと、を有する。筒状部５１ａは、貫通孔３０ｖの内周面と軸部３２ｂの外周面との間に介在している。本実施形態では、例えば、接続端子３２のカシメ時に当該接続端子３２がＺ方向に圧縮されることによって、軸部３２ｂが径方向（ＸＹ平面）に沿って膨らむ。これにより、軸部３２ｂの外周面と貫通孔３０ｖの内周面との間に筒状部５１ａが弾性的に圧縮された状態で挟まれ、ひいては接続端子３２の径方向（ＸＹ平面）に沿った移動（がたつき等）が抑制されうる。
【００４９】
フランジ部５１ｂは、筒状部５１ａの上端部から凹部３０ｕの底面に沿って軸部３２ｂとは反対側に延びている。フランジ部５１ｂは、接続端子３２の頭部３２ａと凹部３０ｕの底面との間に介在している。絶縁体５１は、例えば、ガスケットや、パッキン等であり、接続端子３２と蓋３０Ｂとを絶縁している。絶縁体５１は、絶縁部材の一例である。絶縁体５１は、第一の絶縁体や、介在物等とも称されうる。
【００５０】
絶縁体５２は、例えば、筒状部５２ａと、突出部５２ｂと、を有する。筒状部５２ａは、例えば、凹部３０ｕの縁部に沿った角筒状に構成されている。筒状部５２ａは、凹部３０ｕ内に位置され、接続端子３２の頭部３２ａと凹部３０ｕの側面との間に介在している。
【００５１】
突出部５２ｂは、筒状部５２ａの下端部から凹部３０ｕの底面に沿って軸部３２ｂ側（絶縁体５１側）に延びている。突出部５２ｂは、Ｚ方向の視線では、四角形状の枠状に構成されている。絶縁体５２は、接続端子３２と蓋３０Ｂとの間に介在し、接続端子３２の周囲を覆っている。絶縁体５２は、例えば、ガスケットや、パッキン等であり、接続端子３２と蓋３０Ｂとを絶縁している。絶縁体５２は、絶縁部材の一例である。絶縁体５２は、外部絶縁体や、第二の絶縁体、介在物等とも称されうる。
【００５２】
絶縁体５３は、蓋３０Ｂの裏面３０ｊと導電部３１との間に介在している。絶縁体５３は、例えば、薄板状の絶縁シートや、絶縁プレート等であり、蓋３０Ｂと導電部３１とを絶縁している。絶縁体５３は、絶縁部材の一例である。絶縁体５３は、内部絶縁体や、第三の絶縁体、介在物等とも称されうる。
【００５３】
図２，４に示されるように、本実施形態では、蓋３０Ｂは、電池セル１２の蓋２０Ｂと同一の部品によって構成されている。すなわち、蓋３０Ｂの形状は、蓋２０Ｂの形状と同一であり、蓋３０Ｂの仕様は、蓋２０Ｂの仕様と同一である。また、本実施形態では、ケース３０Ａについても、電池セル１２のケース２０Ａと同一の部品によって構成されている。すなわち、ケース３０Ａの形状は、ケース２０Ａの形状と同一であり、ケース３０Ａの仕様は、ケース２０Ａの仕様と同一である。
【００５４】
以上のように、本実施形態では、例えば、接続部材１８は、電池モジュール１の筐体１１内であって、電池セル１２が収容される第一の収容部１１ｘ１とはＸ方向に仕切られた第二の収容部１１ｘ２に収容可能に構成されたボディ３０と、ボディ３０の上面３０ａに設けられ、バスバー１３を介して電池セル１２の正極端子２２または負極端子２３と電気的に接続可能な一対の接続端子３２と、一対の接続端子３２の間に渡った導電部３１と、を有する。このような構成によれば、例えば、第二の収容部１１ｘ２に収容可能に構成されたボディ３０や、上面３０ａに設けられた一対の接続端子３２等によって、筐体１１への組付作業や配線作業等が、より容易に、より円滑に、あるいはより迅速に行われやすい接続部材１８が得られやすい。
【００５５】
また、本実施形態では、例えば、ボディ３０は、Ｚ方向の一方に開放される開口部３０ｉが設けられたケース３０Ａと、開口部３０ｉを覆い、一対の接続端子３２が設けられた蓋３０Ｂと、を有する。このような構成によれば、例えば、ケース３０Ａと蓋３０Ｂとに別けられた比較的簡素な構成によって、第二の収容部１１ｘ２に収容可能なボディ３０が得られうる。
【００５６】
また、本実施形態では、例えば、一対の接続端子３２は、蓋３０Ｂを貫通した状態に設けられ、導電部３１は、蓋３０Ｂの内側で一対の接続端子３２の間に渡り、蓋３０Ｂと一対の接続端子３２との間、および蓋３０Ｂと導電部３１との間には、それぞれ絶縁体５１〜５３が設けられている。このような構成によれば、例えば、蓋３０Ｂの内側に設けられた導電部３１や、絶縁体５１〜５３等によって、電池セル１２と同様の導通経路を有した接続部材１８を得ることができる。
【００５７】
また、本実施形態では、例えば、蓋３０Ｂは、電池セル１２の正極端子２２および負極端子２３が設けられる蓋２０Ｂと同一形状を有している。このような構成によれば、例えば、蓋３０Ｂによって、電池モジュール１の製造に要する手間や費用が低減されやすい接続部材１８を得ることができる。
【００５８】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００５９】
１…電池モジュール、１１…筐体（第一の筐体）、１１ｘ１…第一の収容部、１１ｘ２…第二の収容部、１２…電池セル、１３…バスバー（導電部材）、１８…接続部材、２０…筐体（第二の筐体）、２２…正極端子（電極部）、２３…負極端子（電極部）、３０…ボディ、３０Ａ…ケース（第一のケース）、３０Ｂ…蓋（第一の蓋）、３０ａ…上面（第一の面）、３０ｉ…開口部、３１…導電部、３２…接続端子、５１〜５３…絶縁体（絶縁部材）、Ｘ…第一の方向、Ｙ…第三の方向、Ｚ…第二の方向。
【図１】
2019061866.tif 000003
【図２】
2019061866.tif 000004
【図３】
2019061866.tif 000005
【図４】
2019061866.tif 000006
【図５】
2019061866.tif 000007